(57)【特許請求の範囲】
【請求項１】
流動体ディスペンサ装置であって、
主本体（１０）と、
紛体などの流動体の一回分を収容した少なくとも一つの独立した貯蔵器と、
前記ディスペンサ装置の駆動のたびに各貯蔵器を開封する開封手段（８０）と、
主本体（１０）に固定的な状態で取り付けられており、吐出口（５）を形成するマウスピース（２００）を保持する上側本体（１０１）と、
吸入トリガー機構（６０）と
を備え、
前記吸入トリガー機構（６０）は、前記マウスピース（２００）と協働する可撓性空気室（６１）と、当該可撓性空気室（６１）と協働するトリガー部材（６００）を有し、
前記マウスピース（２００）を介して吸入するときに前記可撓性空気室（６１）が変形して、トリガー部材（６００）が前記開封手段（８０）を駆動し、それによって吸入時に開封手段（８０）が貯蔵器を開封するよう構成されており、
前記マウスピース（２００）は、前記上側本体（１０１）に固定され、周縁側壁部（２０２）と、これよりも内側であり、組み立て後に、気密な状態で上側本体（１０１）の斜めにカットされて面取りされた周縁エッジ部（１０８、１０９）に係合する変形可能な周縁リップ部（２０９）とを備え、
前記周縁リップ部（２０９）の肉厚が前記周縁側壁部（２０２）の肉厚よりも薄く、
前記上側本体（１０１）の斜めにカットされて面取りされた周縁エッジ部は、上側エッジ部（１０８）と下側エッジ部（１０９）とを有し、
前記上側エッジ部（１０８）と下側エッジ部（１０９）の斜面が異なっており、
前記上側エッジ部（１０８）は、下側エッジ部（１０９）に比較して、径方向に内側にあり、かつ、傾斜が小さく、
前記マウスピース（２００）を前記上側本体（１０１）へ組み付ける際、前記周縁側壁部（２０２）を前記上側本体（１０１）外周に沿って、前記周縁側壁部（２０２）に設けられたスナップ留め溝（２０７）が前記上側本体（１０１）に設けられたスナップ留め突起（１０７）に近づく方向に動かすことにより、前記変形可能な周縁リップ部（２０９）が前記上側エッジ部（１０８）に当接し、その後、前記上側エッジ部（１０８）の傾斜に沿って拡径しつつ前記下側エッジ部（１０９）に至り、前記スナップ留め溝（２０７）が前記スナップ留め突起（１０７）に留まり固定された状態で、前記周縁リップ部（２０９）が前記下側エッジ部（１０９）に気密に接触した状態になる
ことを特徴とする流動体ディスペンサ装置。
【請求項２】
各スナップ留め溝（２０７）は、組み立て時に、対応するスナップ留め突起（１０７）によって変形される変形可能なタブ（２０７'）を有する
ことを特徴とする請求項１に記載の流動体ディスペンサ装置。
【請求項３】
上側本体（１０１）は、組み立て時に、マウスピース（２００）の位置決め部材収容部（２０６）内に係合する位置決め突起（１０６）を有する
ことを特徴とする請求項１または２に記載の流動体ディスペンサ装置。
【請求項４】
駆動のたび、前記開封手段（８０）に対し、個々の貯蔵器を移動させるよう構成された可動支持手段（５０）を備え、
前記可動支持手段（５０）は、非吐出位置と吐出位置との間で移動可能であり、
前記可動支持手段（５０）は、ばね、または板ばねなどからなる弾性手段（７０）によって、前記吐出位置に付勢され、ユーザーによる吸入によって解除されるブロック手段によって、前記非吐出位置に維持される
ことを特徴とする請求項１から３のいずれかに記載の流動体ディスペンサ装置。
【請求項５】
前記開封手段（８０）は、主本体（１０）に対して静止し、前記貯蔵器の封止壁を切断する穿孔要素を有し、
当該穿孔要素は、切断した前記封止壁の一または複数の部分が、形成された一または複数の開口を塞がないよう構成されている
ことを特徴とする請求項１から４のいずれかに記載の流動体ディスペンサ装置。
【請求項６】
開位置と閉位置との間で移動可能なように前記主本体（１０）に軸支されている、少なくとも１つのカバー部材（１１、１２）を有する
ことを特徴とする請求項１から５のいずれかに記載の流動体ディスペンサ装置。
【発明の詳細な説明】
【技術分野】
【０００１】
本発明は、流動体ディスペンサ装置に関し、特にドライパウダー吸入器に関する。
【背景技術】
【０００２】
吸入器は、従来から公知であり、様々な種類のものが存在する。
第１の種類の吸入器は、多数回分の紛体を収容する貯蔵器を備えている。当該吸入器は、駆動のたびに一回分の粉体を貯蔵器から取り出すことを可能にする計量手段を備え、ユーザーに投薬する際に一回分の紛体を吐出管に移動させる。
また、カプセルのように使用する直前に装填する独立した貯蔵器を備える吸入器も、先行技術に記載されている。このような装置の利点は、器具に全量を格納しておく必要がないため、器具がコンパクトになることである。
【０００３】
しかし、ユーザーは、使用のたびに吸入器にカプセルを装填する必要があり、このような吸入器の使用は困難を伴う。
別の種類の吸入器としては、複数回分の紛体が個別の複数の貯蔵器にあらかじめ収容されており、吸入器の駆動のたびに、それら貯蔵器のうちの一つを開封するものがある。
この例では、一回分の紛体を投与する直前にのみ貯蔵器を開封するため、紛体を、より効果的に気密状態に維持することができる。このような個別の貯蔵器を構成するために、様々な技術が提案されている。例えば、細長いブリスターストリップや、回転する円板上に配置したブリスターなどである。
【０００４】
上述した吸入器を含めて、既存のあらゆる吸入器は、その構造および機能に関して、長所および短所の両方を有する。そして、ある種の吸入器では、駆動のたびに行われる計量の正確性および再現性に関して問題がある。
また、投与の効率、すなわち、一回分の紛体のうち、どれだけの量がユーザーの肺に効率的に浸透して有益な治療効果を発揮するかについても、いくつかの吸入器にとっては課題である。この特定の課題に対する一つの解決策は、患者による吸入と一回分の紛体の放出とを同期させることである。
【０００５】
しかし、この種の装置にも欠点がある。一回分の紛体は、一般的には、まず吸入前に吐出管に送られ、その後、吐出と吸入とを同期させる。すなわち、仮にユーザーが（複数回分を収容した貯蔵器、または、独立した一つの貯蔵器より）一回分の紛体を装填してから吸入を行うまでの間に、吸入器を落としたり、振ったり、あるいは好ましくない方法や不適切は方法で吸入器を操作すると、紛体の一部または全部がこぼれる恐れがあり、場合により、そうした紛体が器具内で拡散することがある。このような場合には、次回、装置を使う際に、過剰投与となる可能性が高い。
【０００６】
紛体が一回分に満たないことに気付いたユーザーは、装置に新たに一回分の紛体を装填する。そして、新たな紛体の吸入時に、前回、装置内にこぼれた紛体が新たな紛体とともに排出されることなり、これが過剰投与の原因となる。
想定されている治療法によっては、このような過剰投与は極めて有害であり、あらゆる国の当局が、過剰投与の危険性を最小限に抑えるため、より厳格な規制を設けている。
【０００７】
所定の部材、特に可動部材の組み立てに関して、駆動時における大きな応力に耐えなければならないという別の問題が生じるかもしれない。そのため、組み立ては、誤動作のリスクを避けるように、特別な信頼性が要求される。
ある特定の小さな部品や、金型成形の結果、および／またはプラスチック成分の調整の結果起こり得る変形に関連して、このような信頼できる組立を保証することは困難である。
【０００８】
気密な組み立ては、特に、吸入トリガー機構を採用する吸入器にとっては望ましく、特に、吸入時における損失水頭を避けるため、およびトリガーのための閾値を安定にして繰り返し使用可能にするために、望ましい。
これにより、患者の使用中の快適性を増すことができると共に、１回ごとの吸入における患者の慣れを乱さないようにできる。
【先行技術文献】
【特許文献】
【０００９】
【特許文献１】米国特許第６１７９１６４号公報
【特許文献２】フランス特許第２９３６４２５号公報
【特許文献３】国際公開第２００２／０８５２８１号公報
【発明の概要】
【発明が解決しようとする課題】
【００１０】
本発明の目的の一つは、流動体ディスペンサ装置を提供することであり、特に、上述の欠点のないドライパウダー吸入器を提供することである。
特に、本発明の目的は、シンプルで、安価に製造・組み立てが可能で、組立時及び使用時の信頼性が高く、駆動のたびの計量の正確性と再現性を保証し、治療対象の領域、特に肺に、一回分の紛体の大部分を吐出することによって、治療の効果の観点で最適な投与量を実現し、一方で、安全かつ効果的な方法で過剰投与のリスクを避け、また、可能な限りコンパクトで、排出されるまで、すべての回数分の紛体について密閉性および純粋性を保証することが可能な装置を提供することである。
【課題を解決するための手段】
【００１１】
そこで、本発明は、流動体ディスペンサ装置であって、主本体と、紛体などの流動体の一回分を収容した少なくとも一つの独立した貯蔵器と、前記ディスペンサ装置の駆動のたびに各貯蔵器を開封する開封手段と、主本体に固定的な状態で取り付けられており、吐出口を形成するマウスピースを保持する上側本体と、吸入トリガー機構とを備え、前記吸入トリガー機構は、前記マウスピースと協働する可撓性空気室と、当該可撓性空気室と協働するトリガー部材を有し、前記マウスピースを介して吸入するときに前記可撓性空気室が変形して、トリガー部材が前記開封手段を駆動し、それによって吸入時に開封手段が貯蔵器を開封するよう構成されており、前記マウスピースは、前記上側本体に固定され、周縁側壁部と、これよりも内側であり、組み立て後に、気密な状態で上側本体の斜めにカットされて面取りされた周縁エッジ部に係合する変形可能な周縁リップ部とを備え、前記周縁リップ部の肉厚が前記周縁側壁部の肉厚よりも薄く、前記上側本体の斜めにカットされて面取りされた周縁エッジ部は、上側エッジ部と下側エッジ部とを有し、前記上側エッジ部と下側エッジ部の斜面が異なっており、前記上側エッジ部は、下側エッジ部に比較して、径方向に内側にあり、かつ、傾斜が小さく、前記マウスピースを前記上側本体へ組み付ける際、前記周縁側壁部を前記上側本体外周に沿って、前記周縁側壁部に設けられたスナップ留め溝が前記上側本体に設けられたスナップ留め突起に近づく方向に動かすことにより、前記変形可能な周縁リップ部が前記上側エッジ部に当接し、その後、前記上側エッジ部の傾斜に沿って拡径しつつ前記下側エッジ部に至り、前記スナップ留め溝が前記スナップ留め突起に留まり固定された状態で、前記周縁リップ部が前記下側エッジ部に気密に接触した状態になることを特徴とする。
【００１３】
各スナップ留め溝は、組み立て時に、対応するスナップ留め突起によって変形される変形可能なタブを有することとしてもよい。
上側本体は、組み立て時に、マウスピースの位置決め部材収容部内に係合する位置決め突起を有することとしてもよい。
駆動のたび、前記開封手段に対し、個々の貯蔵器を移動させるよう構成された可動支持手段を備え、前記可動支持手段は、非吐出位置と吐出位置との間で移動可能であり、前記可動支持手段は、ばね、または板ばねなどからなる弾性手段によって、前記吐出位置に付勢され、ユーザーによる吸入によって解除されるブロック手段によって、前記非吐出位置に維持されることとしてもよい。
【００１４】
前記開封手段は、主本体に対して静止し、前記貯蔵器の封止壁を切断する穿孔要素を有し、当該穿孔要素は、切断した前記封止壁の一または複数の部分が、形成された一または複数の開口を塞がないよう構成されていることとしてもよい。
開位置と閉位置との間で移動可能なように前記主本体に軸支されている、少なくとも１つのカバー部材を有することとしてもよい。
【図面の簡単な説明】
【００１５】
本発明の上述した特徴および利点は、非限定的な例として示す以下の詳細な説明、および、添付図面を参照することにより、より明確となる。
【図１】本発明の好適な実施例におけるディスペンサ装置の、休止状態における断面図である。
【図２】図１のディスペンサ装置の詳細な部分断面図である。
【図３】図１のディスペンサ装置の上側主本体の斜視図である。
【図４】マウスピースを上方から見たときの斜視図である。
【図５】マウスピースを下方から見たときの斜視図である。
【図６】マウスピースを上側主本体に組み付ける第１の段階を示す部分断面図である。
【図７】マウスピースを上側主本体に組み付ける第２の段階を示す部分断面図である。
【図８】マウスピースを上側主本体に組み付ける第３の段階を示す部分断面図である。
【図９】マウスピースを上側主本体に組み付ける第４の段階を示す部分断面図である。
【発明を実施するための形態】
【００１６】
図１、図２は、ドライパウダー吸入器の好ましい一実施例を示している。
当該吸入器は、主本体１０を含み、主本体１０上には、装置を開状態にし、駆動の準備ができるように構成された二つのカバー部材１１および１２が、摺動可能に取り付けられる。
主本体１０は、図に示すように、丸みを帯びた形状をしていてもよいが、その他、適切であれば、どのような形状でもよい。
【００１７】
上側本体１０１は、主本体１０に組み付けられ、マウスピース２００が当該上側本体１０１に取着される。
マウスピース２００は、吐出口５を有し、これを介して、ユーザーは装置の駆動中に吸入を行う。
吐出口５は、典型的には、マウスピース２００ほぼ中央に位置する。
【００１８】
カバー部材１１および１２は、共通の支軸を中心に、あるいは互いに係合するような状態で二つの平行な軸を中心に、揺動可能である。
装置を開状態にするための開放手段は、その他どのようなものであってもよく、変形例として、当該装置は、二つではなく一つのカバーのみを有するものであってもよい。
主本体１０の内部には、ブリスターとしても知られる独立した複数の貯蔵器（簡潔化のため図示せず）が長尺のブリスターストリップ上に公知の方法で一列に並んで設けられている。
【００１９】
ブリスターストリップは、一回分の紛体を収容する窪みを複数有するベース層または壁部と、各ブリスターを封止する封止層または壁部とから構成されていることが望ましい。
初回使用時以前においては、ブリスターストリップは丸く巻かれた状態で主本体部１０内、好ましくはその貯蔵部内にあり、ブリスターストリップを広げて前進させるため、例えば、回転手段である第１移動手段４０が備えられている。
【００２０】
例えば、主本体１０に回動可能に取り付けられた第２移動手段５０は、装置の駆動のたびに各ブリスターを吐出位置に移動させる。
第２移動手段５０は、非吐出位置と、ブリスターが上記開封手段と協働する吐出位置との間で回動可能なように取り付けられていれば有利である。
ブリスターストリップのうち、空になったブリスターを含む部分を、主本体１０の別の場所、好ましくは、後に詳細に説明する受け入れ部において巻き取る構成とすれば有利である。
【００２１】
当該吸入器は、ブリスター開封手段８０を有し、当該ブリスター開封手段８０は、好ましくは、ブリスターの封止層に開口を形成および／または当該封止層を切断する、穿孔手段および／または切断針を備える。
好ましくは、ブリスター開封手段は、主本体１０および上側本体１０１に対して静止した穿孔要素８０を備え、第２移動手段５０による駆動のたびに、各ブリスターが穿孔要素８０に向けて移動する。
【００２２】
したがって、穿孔要素８０がブリスターを穿設することによってブリスターに開口が形成され、ユーザーによる吸入により、ブリスターから紛体が放出される。
なお、前記穿孔要素８０は、貯蔵器の封止壁を切断し、かつ、切断した前記封止壁の一または複数の部分が、形成された一または複数の開口を塞ぐことがないよう構成されている。国際公開第２００６／０７９７５０号および国際公開第２００９／００７６４０号が、このようなブリスター開封手段について記載しており、これらの内容は、参照により本願に含まれる。
【００２３】
第１移動手段４０は、ユーザーによる吸入のたびにブリスターストリップを前進させるよう構成されている。
第２移動手段５０は、駆動時において各吸入の前の段階で、開封対象となるブリスターをブリスター開封手段に向けて移動させるよう構成されている。
第２移動手段５０は、ばね、または、その他の同等の要素からなる弾性要素７０によって付勢される。装置が開状態の間は、当該弾性要素７０に圧縮力がかかるようになっている。
【００２４】
好ましくは、第１移動手段４０は、ブリスターストリップを収容し案内する割出しホイールからなる。以下の記載においては、このような割出しホイール４０を使用するものとして説明する。
割出しホイール４０の回転によって、ブリスターストリップが前進する。各吸入の前の段階では、開封前の完全なブリスターが、ブリスター開封手段８０と対向する位置にある。
【００２５】
第２移動手段５０は、支軸を中心に揺動するよう取り付けられた揺動部材を備えていてもよく、割出しホイール４０が、当該揺動部材に回転可能に取り付けられていることが好ましい。
本装置の駆動サイクルは、以下の通りである。装置を開状態にする際、並行に配置された二つのカバー部材１１、１２が主本体１０を中心にして、主本体１０から相互に離れる方向に移動し、それによりばねの力を装置に加える。この状態では、割出しホイール４０を、穿孔要素８０の方に向けて移動させることができない。
【００２６】
なぜなら第２移動手段５０が適切なブロック手段（簡潔化のため図示せず）によって保持されているからである。国際公開第２００９／０７７７００号および国際公開第２００９／１３６０９８号が、このようなブロック手段について記載しており、これらの内容は、参照により本願に含まれる。
ユーザーがマウスピースを介して吸入を行っている最中には、ブロック手段はブロックを解除し、割出しホイール４０を針に向けて移動し、それによりブリスターを開封する。
【００２７】
上述のように、開封手段８０は、ユーザーによる吸入によって駆動されることが望ましい。吸入で開封手段８０を作動させるために、好ましくは吸入によって変形する空気室６１を備える吸入トリガー機構６０を備える。
空気室６１は、蛇腹形状に形成されるのが望ましい。
空気室６１は、ブロック手段を解除するよう構成されている。ユーザーによる吸入は、空気室６１を変形させてブロック手段によるブロックを解除し、第２移動手段５０を移動可能することによって、各ブリスターをその開封位置に向けて移動させる。
【００２８】
よってブリスターは、吸入によってのみ開封され、それと同時に空になる。したがって、ブリスターが開封されてから、空になるまでの間に、一回分の紛体の一部がこぼれる危険性がない。
吸入器は、さらに、各ブリスターの開封後に一回分の紛体を収容する、拡散室９０を備える。拡散室９０は、少なくとも一つ、好ましくは複数の、ビーズ９１を備えていれば有利である。
【００２９】
ビーズ９１は、吸入の最中に、拡散室９０内を移動する。それにより、具体的には、ブリスターが開封された後、空気と紛体の混合物の吐出を、より効率よく行い、装置の吸入効率を改善する。
なお、開封手段、具体的には穿孔要素は、例えば拡散室９０に繋がる経路９５を介して直接拡散室９０に連通されていれば有利である。
【００３０】
吸入後、ユーザーが装置のカバーを閉状態にしたとき、すべての構成要素が最初の静止位置に戻る。これにより、装置は、新たな使用サイクルを開始できる状態になる。
本吸入器の好適な一態様において、ブリスターは、柔軟性のある長尺部材上に形成されており、これは、初期状態では、主として当該装置の主本体１０内の貯蔵ハウジング内に、巻かれた状態で保存されている。
【００３１】
巻かれた状態のブリスターストリップが、その後端（すなわちブリスターストリップの進行方向における後端）が主本体１０に対して固定されていない状態で、貯蔵ハウジングの内壁に保持されていて、装置内でブリスターストリップのロールを、より簡単に組み付けることができるように構成されていれば有利である。
ブリスターストリップは、少なくとも一つ、好ましくは複数の、それぞれがブリスターの形状に対応する形状の凹部を有する割出しホイール４０によって動かされる。そして、割出しホイール４０の回転によって、ブリスターストリップが前進する。
【００３２】
当然、上記構成の代わりに、あるいは上記構成に加えて、ブリスターを前進させるためのその他の手段を用いることができる。例えば、ブリスターストリップの側面を、適切な駆動手段と協働する形状に構成することができる。
また、ブリスターストリップの側面に沿って開口を形成し、当該開口と協働するスプロケットホイールによってブリスターストリップを前進させることもできる。
【００３３】
１つ以上のブリスターを開封した後、ブリスターストリップのうち空になったブリスターがある部分が詰まることがないように、簡単かつコンパクトに装置内に収容できなければならない。使用済みのブリスターストリップは、自動的に巻き取られ、再びロール状になれば有利である。
吸入器のさらに別の態様では、紛体カウンターまたはインジケーター（簡潔化のため図示せず）も備えることもできる。当該装置において、当該装置の主本体１０の適切な窓部から見えるように、数字や記号を直接、ブリスターストリップに印をしてもよい。
【００３４】
変形例として、数字や記号を記した一以上の回転盤やリングを有するカウンターを用いることも考えられる。国際公開第２００８／０１２４５８号および国際公開第２０１１／１５４６５９号が、このようなカウンターについて記載しており、これらの内容は、参照により本願に含まれる。
本発明の目的は、例えば、装置の操作ミスや不完全な操作時に、吐出していない紛体を一回分とカウントしてしまうのを避けることである。したがって、カウンターあるいはインジケーターは、ユーザーが吸入をしたときのみ駆動されることが望ましい。なぜなら、ブリスターを開封して、収容されている紛体を吐出できるようにするのは、この吸入だからである。なお、カウンターは、吸入後、ユーザーが装置を閉状態にしたときに駆動されることが望ましい。
【００３５】
移動可能なカバー部材１２は、適切なハウジングにより摺動可能に保持された打ち金部材(cocking member）８００に連結されている。これにより打ち金部材８００が主本体１０に対しカバー部材カバー部材１２と共に揺動するようになっているのが望ましい。
打ち金部材８００は、上記ハウジング内に配置されたばね７０（望ましくはコイルばね）に抗して移動するようにしてもよい。打ち金部材８００は、一端がばね７０に接続され、他端が第２移動手段、具体的には主本体１０上で揺動するように取り付けられ、かつ、割出しホイール４０が回転可能に支持された、揺動部材５０と協働する。
【００３６】
移動可能なカバー部材１２が開くと、打ち金部材８００がハウジング内を移動し、ばね７０を圧縮する。第２移動手段の揺動部材５０は、吸入時にのみ解除される上述のブロック手段によって移動が阻止されている。
したがって、開放位置において、吸入がなされない状態では、カバー部材１１および１２を閉じても、打ち金部材８００が静止位置に戻り、ばね７０が伸長するだけである。
【００３７】
よってユーザーは、吸入器を開くことによって、吸入システムの駆動の準備することになる。ユーザーが吸入を行わず吸入器を閉じた場合には、ブリスターストリップやブロック手段が移動することはなく、装置が元の状態に戻るだけである。
これにより、吸入器を開状態にしてから閉状態にするまでの間に、ユーザーが吸入を行っていないにも関わらず、偶然の、あるいは不完全な駆動によって、ブリスター（および有効な一回分の物質）が損なわれるおそれがなくなる。
【００３８】
このように、ブリスターを開封し、空にし、紛体をユーザーの肺に投与し、ブリスターストリップを移動させて新たな満杯のブリスターを開封手段に対置させると共に、投与された紛体を一回分とカウントするという動作は、ユーザーが吸入を行ったときのみ生じる。
第２移動手段、具体的には、打ち金部材と協働する揺動部材をブロックするブロック手段は、ユーザーによる吸入に反応する可撓性空気室６１と、トリガー部材６００を介して連結されており、ユーザーが吸入を行うと、可撓性空気室６１が変形し、トリガー部材６００を回動させて、ブロック手段を解除する。
【００３９】
そして、揺動部材５０を押圧している打ち金部材８００で圧縮された状態にあるばね７０の力の作用により、上記第２移動手段を、その吐出位置に向けて移動させることができる。この移動によって、満杯のブリスターが開封され、一回分の紛体が吐出される。
可動支持手段５０にカム面５１が形成され、その表面を打ち金部材８００が摺動する。打ち金部材８００は、カバー部材１２が開放されると、ばね７０を圧縮し、カバー部材１２が閉じられると、ばね７０の圧縮を解放する。
【００４０】
カム面５１に接触している部分で、打ち金部材８００が摺動しやすいように、打ち金部材８００の端部に丸みを有する部分８０１を有していることが望ましい。
本実施の形態において、可動支持手段は、主本体１０に対して揺動可能に取り付けられた揺動部材５０として形作られる。
上記のようにカム面５１が、揺動部材５０に形成されているので、カバー部材１２が開放されている間、ばね７０に負荷がかけられ、揺動部材５０は打ち金部材８００によって吐出位置に向けて力を加えられ、ばね７０が圧縮される。
【００４１】
カム面５１は、好ましくは、頂点によって分離される少なくとも２つの異なる斜面部分を含むようにしてもよい。
カバー部材１２を閉状態から開け始める時に、打ち金部材８００は、第１の斜面を摺動し、上記のようにばね７０が圧縮される。ばね７０に負荷がかかって圧縮されていき、カム面５１の第２の斜面は、装置が開状態になったときに係合する位置に設けられている。打ち金部材８００は、好ましくは、第２の斜面に対し、実質的に垂直な方向に力を加える。
【００４２】
これにより、ばねにより負荷が加えられた位置が安定する。
変形例として、第２の斜面には、開状態のときに、打ち金部材８００を位置決めする、当接溝（abutment  notch）を設けてもかまわない。
吸入の後に、すなわち吐出位置において、ブロッキング手段が解放され、可動支持手段５０は、圧縮されたばね７０によって上方に移動させられる。
【００４３】
カバー部材１１、１２が、対称的に開閉できるように、当該カバー部材１１、１２が適当なギヤを介して互いに噛み合っていることが望ましい。
それらのギヤは、支軸１６、１７に近接した位置で相互に噛み合うようになっている。
図３は、特に、主本体１０に固定される周縁の側壁部１０２と、実質的に平坦な上面部１０３を備える上側本体１０１を示している。
【００４４】
図３に示す実施の形態では、周縁側壁部１０２は、ほぼ長方形状であるが、他の形状であってもよい。
上面部１０３は、吸入トリガー機構６０の可撓性空気室６１を収納する開口部１０４を備える。上面部１０３は、また、拡散室９０と経路９５の底面部を形成する凹部１０５を備える。
【００４５】
図２に示すように、凹部１０５はカバー部材１１１で覆われる。上面部１０３は、また、後述するマウスピースの底面に設けられた位置決め用収要部に係合する位置決め突起１０６を有している。周縁側壁部１０２と上面部１０３の境目は、周縁エッジとなっている。
周縁エッジは、好ましくは斜めにカットされて面取りされており、より望ましくは、上面部１０３に接する上側エッジ部１０８と周縁側壁部１０２に接する下側エッジ部１０９とを備える。上側エッジ部１０８と下側エッジ部１０９との斜面は異ならせるのが望ましい。
【００４６】
上側本体１０１は、マウスピースのスナップ留め溝に係合するためのスナップ留め突起１０７をさらに備えており、後述するようにマウスピース２００を上側本体１０１に固定できるようになっている。
スナップ留め突起１０７は、望ましくは、周縁側壁部１０２の下側エッジ部１０９の位置に合わせて配置される。図４、５は、マウスピース２００をより詳しく示す図である。
【００４７】
概して、マウスピース２００は、吐出口５に対して対称的になっているのが望ましい。マウスピース２００は、上側本体１０１の周縁側壁部１０２と形状が一致する周縁側壁部２０２と、上面部２１０を備える。
上面部２１０は、吐出口５の両側において長手方向に延びる。
なお、上面部２１０は、長手方向においてやや盛り上がっているか、凸状面になっており、これにより伏せた丸みの形状をマウスピース２００に付与している。
【００４８】
マウスピース２００の、横断方向もしくは横方向における、いずれの側にも、吐出口５のそれぞれ横側に２つの横側受面２２０が設けられている。
横側受面２２０は、吸入中にユーザーの唇を受け止めるためのものである。横側受面２２０は、ユーザーがマウスピース２００に唇をあてたときに、ユーザーの唇の位置に正しく適応するようなへこみを形成するため、特に、横断方向においてやや凹部状となっている。
【００４９】
特に、図４に示されているように、２つの横側受面２２０は、上面部２１０を横方向に延びており、望ましくは上面部２１０と吐出口５によって、相互に離れた位置に分かたれている。
このようにして、ユーザーが口をマウスピース２００に当てると、２つの横側受面２２０間の間隔によって、ユーザーが、吸入中に、部分的にでも、ユーザーの歯が吐出口５を遮蔽しないように口を十分広く開けさせる。
【００５０】
加えて、横側受面２２０のややへこんだ形状が人間工学的な形状であって、吸入中にユーザーの口と良好な密封状態を保証するようなものであればよい。
特に、この構成は、吸入時における水頭損失を回避すると共に、ユーザーにより創出された吸入流が、できるだけ多く、吸入器に作用して、吸入器中に収容されている粉体を吐出させることを保証する。
【００５１】
横側受面２２０の間隔と深さによって、マウスピース２００に突出部を設けて吐出口５を形成することなく、吐出口５が、歯を超えて口の内部に含まれることが保証される。
横側受面２２０は、特に図４に示すように、好ましくはその大部分が、マウスピース２００の中央部を横切って長手方向に延びることが望ましい。２つの横側受面２２０は、吐出口５に対して、相互に完全に対称であることが望ましい。
【００５２】
再度、図１を参照すると、吸入器の主本体１０とマウスピース２００の周りに移動可能なカバー部材１１、１２は、実質的に、マウスピース２００の形状、特にその上面部２１０に沿うように凸形状の上面部を有している。
これにより、カバー部材１１、１２が開いた位置と閉じた位置との間で移動されるとき、マウスピース２００との間に隙間が生じない。それによって、カバー部材を手動する際に、ユーザーの指が挟まれるおそれがなくなる。
【００５３】
全体的に、マウスピース２００は、装置が駆動されている間において、ユーザーの指が入るような隙間を作るような危険を生じさせるようないかなる突部も含まない。
マウスピース２００の周縁側壁部２０２は、上述のように、マウスピース２００が上側本体１０１に取り付ける際に、上側本体１０１のスナップ留め突起１０７にスナップ留めされる、スナップ留め溝２０７を有している。
【００５４】
４つのスナップ留め突起１０７に対応して４つのスナップ留め溝２０７があることが望ましい。
図９に示すように、スナップ留め溝２０７は、スナップ留め突起１０７によって径方向外側に変形可能なタブ（tab）２０７’を備えることが望ましい。
上面部２１０は、その内面において、マウスピース２００が組み付けられる際に、位置決め突起１０６と協働するように構成された位置決め部材収容部２０６を有している。この構成により、マウスピース２００は組み付け時において、上側本体１０１に対して正確に位置決めされる。
【００５５】
また、本発明において、マウスピース２００は、上側本体１０１の面取りされたエッジ部１０８、１０９と協働するように構成された、変形可能な周縁リップ部２０９を有する。
このリップ部２０９は組立時に変形して、組立体の密閉性を向上させる。組立中において、リップ部２０９は、主として上側エッジ部１０８に係合するのが望ましい。上側エッジ部１０８は、その傾斜が径方向において下側エッジ部１０９より小さくなっている（この傾斜は、図２および図６から図９に示すように水平方向に対する傾斜を意味する。）。
【００５６】
この構成により、リップ部２０９は、組立後に気密に接触する下側エッジ部１０９に正確に係合するように案内される。図６から図９までは、組立時の段階を示す。
図６において、マウスピース２００は、上側本体１０１の上方に位置し、矢印方向に移動される。
図７において、位置決め突起１０６は、位置決め部材収容部２０６と協働して、マウスピース２００の位置を合わせる。組み立て動作に連れて、位置決め突起１０６が、それぞれの位置決め部材収容部２０６の中を突き進む。同時に、図８に示すように、スナップ留め溝２０７の下方エッジが、スナップ留め突起１０７に当接して、リップ部２０９が上側エッジ部１０８に接触する。
【００５７】
組立後、図９に示すように、位置決め突起１０６は位置決め部材収容部２０６中に入り込み、スナップ留め溝２０７は、スナップ留め突起１０７にスナップ留めされている。この際、変形可能タブ２０７’は変形し、リップ部２０９はその縁部で気密に下側エッジ部１０９に接触した状態となっている。
変形可能なタブ２０７’は、マウスピース２００が、安定的でかつ、再組立可能な状態で、上側本体１０１に応力を有して位置決めされていることを保証する。
【００５８】
したがって、リップ部２０９は気密性を保証する機能のみを有する。
このような構成により、例えば、気密性を劣化させるリスクを負うことなく位置決めの品質を最適化するというような、独自の機能を提供するという利点を得る。
スナップ留め溝２０７やスナップ留め突起１０７、変形可能タブ２０７’の各形状、寸法および位置は、組立に最適なように調整されてよい。リップ部２０９は、上側本体１０１の周縁エッジ部との密閉性を最適化するために適当な断面輪郭形状（profile）を有するようにしてもよい。
【００５９】
本発明により、以下の特徴を有するドライパウダー吸入器を提供することが可能である。
・複数回分の紛体が、密封された複数のブリスターに個別に収容される。例えば、３０回あるいは６０回分が、丸く巻かれた状態の長尺部材上に収容される。
・紛体は、ユーザーによる吸入によってなされる穴開けによって放出される。ブリスターの穴開けは、圧縮力解放機構と組み合わされた吸入検出機構によってなされる。
【００６０】
・ブリスターと係合し、吸入のたびにブリスターストリップを移動させて、新しい満杯のブリスターを、適切な開封手段によって開封される位置に移動させるのに適切な形状を有する駆動手段。
・吸入器が開けられたが、吸入は行われていないときに、紛体が失われるのを防止する手段。
【００６１】
・吸入が行われたときのみ紛体を一回分とカウントするよう構成されたドーズインジケーター。
上述したとおり、本発明の装置により、その他の特徴も提供される。
なお、上述の様々な特徴は、吸入器に同時に備えられているように記載されているものであっても、個別に備えることができる。
【００６２】
具体的には、貯蔵器開封手段のタイプや、紛体インジケーターの有無や、それぞれ独立した複数のブリスターが互いにどのような位置関係にあるかにかかわらず、吸入トリガー機構を利用することができる。
打ち金部材および吸引トリガー機構は、その他の方法で形成されていてもよい。
同様のことが、装置のその他の要素にも当てはまる。
【００６３】
当業者は、添付のクレームに定義される本発明の範囲を逸脱しない範囲において、様々な変形を施すことができる。具体的には、図面を参照して説明した装置の様々な特性や機能は、適切であればどのような方法を用いてでも互いに組み合わせることができる。
【図１】
0006416755.tif 000002
【図２】
0006416755.tif 000003
【図３】
0006416755.tif 000004
【図４】
0006416755.tif 000005
【図５】
0006416755.tif 000006
【図６】
0006416755.tif 000007
【図７】
0006416755.tif 000008
【図８】
0006416755.tif 000009
【図９】
0006416755.tif 000010